(57)【要約】【課題】  本発明は容易にマイナスイオンを放出できる電子機器を提供することを目的とする。【解決手段】  スピーカ１３の前面(コーン部、音放出部)１４は、表示部４の前壁７に設けられた孔部１０ａと対向している。孔部１０ａは複数の小孔の集まりであり、スピーカ１３の前面１４に対応する領域に設けられている。スピーカ１３の前面１４と表示部４の前壁７との間には間隙が設けられており、その間隙にマイナスイオン発生部１２が配置している。スピーカ１３の前面１４および表示部４の前壁７との間に夫々間隙を有して配置されている。マイナスイオン発生部１２はスピーカ１３の前面１４の一部と対向している。スピーカ１３は音を放出する場合、コーン部（前面）１４を振動させることで音圧を発生する。マイナスイオン発生部１２から放出されたマイナスイオンはスピーカ１３からの音圧により孔部１０ａより表示部４の外部に拡散されることになる。【選択図】  図３
2005078822.tif 000002
【特許請求の範囲】
【請求項１】
スピーカを内蔵するとともに、このスピーカに対向して音を放出する孔部を有する筐体と、
上記筐体内に設けられ、上記孔部と上記スピーカとの間に位置するマイナスイオン発生部と、
を具備することを特徴とする電子機器。
【請求項２】
上記筐体は本体と、この本体に回動可能に接続される表示部とを有し、
上記表示部は上記スピーカおよび上記マイナスイオン発生部を内蔵するとともに、上記孔部を有することを特徴とする請求項１記載の電子機器。
【請求項３】
上記表示部は前壁を有し、この前壁には上記孔部が設けられることを特徴とする請求項２記載の電子機器。
【請求項４】
本体と、
上記本体に対して回動可能に接続されるとともに、前壁を有する上記表示装置を露出する前壁を有する表示部と、
上記表示部に内蔵されるスピーカと、
上記スピーカと対向して上記前壁に設けられるとともに、上記スピーカの音を放出する孔部と、
上記孔部と上記スピーカとの間に設けられるマイナスイオン発生部と、
を具備することを特徴とする電子機器。
【発明の詳細な説明】
【技術分野】
【０００１】
本発明は、パーソナルコンピュータや音響機器等の電子機器に係り、特にスピーカを有する電子機器に関する。
【背景技術】
【０００２】
近年、環境改善や人体に好影響を与えるとして、マイナスイオン発生装置やマイナスイオン発生機能を有する空調機器等が多く製品化されている。その多くはマイナスイオン発生を主目的とした機器であったり、あるいはエアコンや空気清浄機等の空調機器にマイナスイオン発生機能を付加した機器であったりする。このような機器のほとんどが、マイナスイオンの拡散にはファン装置が用いられている。（特許文献１、２参照）。
【０００３】
パーソナルコンピュータには内部の熱を強制的に外部へ放出する冷却用のファンが内蔵されている。
【特許文献１】特開２００３−１００４２０号公報（第９カラム  段落００５２）
【特許文献２】実用新案登録第３０８８６４０号公報（図１および図２  段落００１１）
【発明の開示】
【発明が解決しようとする課題】
【０００４】
しかし、そのファンはコンピュータ内部で発生した高熱を外部へ放出することが目的であるため、ファンで送出される熱気がユーザに当たらない様に配慮されている。このような冷却用ファンを用いてマイナスイオンをユーザに向けて放出することは熱気をユーザ方向へ放出することとなり、好ましくない。これらを解決するために別途マイナスイオン放出用のファンを別途設けることは、たとえば、大きさや重量が制限されるノート型パーソナルコンピュータのような小型・軽量電子機器には好ましくない。
【０００５】
そこで、本発明は容易にマイナスイオンを放出できる電子機器を提供することを目的とする。
【課題を解決するための手段】
【０００６】
上記目的を達成するために、請求項１に係る発明では、スピーカを内蔵するとともに、このスピーカに対向して音を放出する孔部を有する筐体と、筐体内に設けられ、孔部とスピーカとの間に位置するマイナスイオン発生部と、を具備することを特徴とする。
【０００７】
請求項４に係る発明は、本体と、本体に対して回動可能に接続されるとともに、前壁を有する表示装置を露出する前壁を有する表示部と、表示部に内蔵されるスピーカと、スピーカと対向して前壁に設けられるとともに、スピーカの音を放出する孔部と、孔部とスピーカとの間に設けられるマイナスイオン発生部と、を具備することを特徴とする。
【発明の効果】
【０００８】
本発明によれば、本発明は容易にマイナスイオンを放出できる。
【発明を実施するための最良の形態】
【０００９】
以下本発明に係る実施の形態を、ノート型コンピュータ等の電子機器に適用し、図面を参照して説明する。図１は、ノート型コンピュータの斜視図である。
【００１０】
図１に示すように、電子機器1は本体２を有している、本体２の後方にはヒンジ部３を介して表示部４が本体２の上面に実装されているキーボード５を覆う閉位置とキーボード５を露出する開位置との間で回動可能に接続される。
【００１１】
表示部４にはＬＣＤ等の表示装置６が内蔵されており、表示部４の前壁７より露出されている。表示部４には表示装置６の光源となるＣＦＬ管９が内蔵されている。さらに表示部４にはＣＦＬ管９へ駆動電力を供給するバックライト電源(電源部)８が内蔵されている。ＣＦＬ管９及びバックライト電源８は既存のものであるため説明を省略する。
【００１２】
表示部４の前壁７の下方には一対の孔部１０ａ，１０ｂが設けられている。孔部１０ａ，１０ｂは後述するスピーカから出力される音を放出するためのものである。
【００１３】
図２は、マイナスイオン発生を説明する概略図。
【００１４】
ＣＦＬ管９を点灯させる際はバックライト電源８からＣＦＬ管９へ６００乃至９００Ｖ０−Ｐの電圧が印加される。バックライト電源８からＣＦＬ管９へ電圧印加される経路途中にはバックライト電源８より発生される６００〜９００Ｖ０−ｐの電圧をマイナスイオンの発生に必要な電圧、例えば−４Ｋ〜−６ＫＶ0−ｐに変換する負電圧変換部１１が設けられる。負電圧変換部１１で発生した負の高電圧はマイナスイオン発生用電極（マイナスイオン発生部）１２に印加され、マイナスイオン発生用電極１２に印加された負の高電圧が放電する際にマイナスイオンが発生する。マイナスイオンが発生する仕組みについては既存の技術を使用すればよく説明を省略する。
【００１５】
図３は、スピーカとマイナスイオン発生部との関係を示す図である。本電子機器においてスピーカは孔部１０ａ，及び１０ｂの夫々に対向して１対のスピーカが内蔵されている。図３においては、孔部１０ｂとスピーカとの関係と、孔部１０ａとスピーカとの関係とは同じであるため、代表して孔部１０ａとスピーカとの関係について説明している。
【００１６】
図３に示すように、表示部４にはスピーカ１３が内蔵されている。スピーカ１３の前面(コーン部、音放出部)１４は、表示部４の前壁７に設けられた孔部１０ａと対向している。孔部１０ａは複数の小孔の集まりであり、スピーカ１３の前面１４に対応する領域に設けられている。スピーカ１３の前面１４と表示部４の前壁７との間には間隙が設けられており、その間隙にマイナスイオン発生部１２が配置している。マイナスイオン発生部１２は図示しない支持部等で表示部４内に固定されており、スピーカ１３の前面１４および表示部４の前壁７との間に夫々間隙を有して配置されている。
【００１７】
マイナスイオン発生部１２はスピーカ１３の前面１４の一部と対向している。つまりスピーカ１３の前面１４全ての領域にマイナスイオン発生部１２を配置した場合、スピーカ１３からの音が効率よく孔部１０ａより放出されないため、前面１４の一部に対向する程度が良い。
【００１８】
スピーカ１３は音を放出する場合、コーン部（前面）１４を振動させることで音を放出している。つまり前面１４からは音圧が発生する。マイナスイオン発生部１２から放出されたマイナスイオンはスピーカ１３からの音圧により孔部１０ａより表示部４の外部に拡散されることになる。
【００１９】
したがって、スピーカ１３より音が出力されていないときは、マイナスイオン発生部１２より発生されたマイナスイオンは自然拡散により孔部１０ａおよよ放出されるが、スピーカ１３より音が出力されているときは、スピーカ１３からの音圧により孔部１０ａを介して積極的にマイナスイオンが拡散されることとなり、マイナスイオン拡散用のファンを特別に設ける必要が無い。
【００２０】
本実施の形態においては表示部側に設けられたスピーカと表示部筐体との間にマイナスイオン発生部を配置したが、もし、本体側にスピーカが内蔵されている場合は本体側のスピーカと本体筐体との間にマイナスイオン発生部を位置させれば良い。その場合マイナスイオン発生部への負の電圧は本体側の電源部からの電圧を変換すれば良い。
【００２１】
本発明ではその主旨を逸脱しない範囲であれば、上記の実施形態に限定されるものではない。そして、携帯電話、ＰＨＳ、ヘッドホン装置、音響装置等の電子機器に広く適用できるものである。
【図面の簡単な説明】
【００２２】
【図１】ノート型コンピュータの斜視図。
【図２】マイナスイオン発生を説明する概略図。
【図３】スピーカとマイナスイオン発生部との関係を示す図。
【符号の説明】
【００２３】
１・・・電子機器、２・・・本体、３…ヒンジ部、４・・・表示部、５・・・キーボード、６…表示装置、７…前壁、８…バックライト電源(電源部)、９…ＣＦＬ管、１０ａ，１０ｂ…孔部、１１…負電圧変換部、１２…マイナスイオン発生用電極（マイナスイオン発生部）、１３…スピーカ、１４…前面(コーン部、音放出部)
【図１】
2005078822.tif 000003
【図２】
2005078822.tif 000004
【図３】
2005078822.tif 000005